(57)【要約】【課題】移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対するハンドオーバ処理を行う場合であっても、通信を継続する。【解決手段】本発明に係る移動通信方法は、無線基地局Ｓ-ｅＮＢが、移動局ＵＥとの間で「ｅｘｔｅｎｄｅｄ  ＰＤＣＰ-ＳＮ」を用いた第１ベアラが確立されている状態で「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｓ-ｅＮＢが、第１ベアラの削除及び「従来のＰＤＣＰ-ＳＮ」を用いた第２ベアラの追加を指示する「ＲＲＣ  ｃｏｎｎｅｃｔｉｏｎ  ｒｅｃｏｎｆｉｇｕｒａｔｉｏｎ」を生成して移動局ＵＥに対して送信する工程とを有する。【選択図】図４
2014023043.tif 000002
【特許請求の範囲】
【請求項１】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第１無線基地局が、前記第１ベアラの削除及び前記拡張シーケンス番号よりも短いシーケンス番号である通常シーケンス番号を用いた第２ベアラの追加を指示するコネクション再設定信号を生成して、前記移動局に対して送信する工程とを有することを特徴とする移動通信方法。
【請求項２】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第２無線基地局が、前記第１ベアラの削除及び前記移動局と該第２無線基地局との間の第２ベアラの追加を指示するハンドオーバ指示信号を生成して、前記第１無線基地局に対して送信する工程とを有することを特徴とする移動通信方法。
【請求項３】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第１無線基地局が、前記第１ベアラの削除及び前記第２無線基地局との間の第２ベアラの追加を指示するハンドオーバ指示信号を生成して、前記移動局に対して送信する工程とを有することを特徴とする移動通信方法。
【請求項４】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第２無線基地局が、全てのベアラの削除及び前記移動局と該第２無線基地局との間の第２ベアラの追加を指示するハンドオーバ指示信号を生成して、前記第１無線基地局に対して送信する工程とを有することを特徴とする移動通信方法。
【請求項５】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第１無線基地局が、前記第１ベアラにおける前記拡張シーケンス番号の設定をリセットすることを指示するコネクション再設定信号を生成して、前記移動局に対して送信する工程とを有することを特徴とする移動通信方法。
【請求項６】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記第１無線基地局が、前記第１ベアラにおける前記拡張シーケンス番号の設定をリセットすること及び該第１ベアラの接続先を前記第２無線基地局に切り替えることを指示するハンドオーバ指示信号を生成して、前記移動局に対して送信する工程とを有することを特徴とする移動通信方法。
【請求項７】
第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、
前記移動局が、受信したハンドオーバ指示信号に前記拡張シーケンス番号を用いる旨の指示が含まれていない場合、前記第１ベアラにおける前記拡張シーケンス番号の設定をリセットし、該第１ベアラの接続先を前記第２無線基地局に切り替える工程とを有することを特徴とする移動通信方法。
【請求項８】
第１無線基地局が、移動局との間で、ＰＤＣＰレイヤにおけるシーケンス番号として拡張シーケンス番号を用いた第１ベアラが確立されている状態で、第２無線基地局が該拡張シーケンス番号に対応していないことを検出すると、該第２無線基地局に対する該移動局のハンドオーバ処理を行わないことを決定する工程と、
前記移動局が、前記第２無線基地局との間で、再接続処理を行うことによって、前記拡張シーケンス番号よりも短いシーケンス番号である通常シーケンス番号を用いた第２ベアラを確立する工程とを有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式に対応する無線基地局ｅＮＢ及び移動局ＵＥは、図１２に示すように、ＰＨＹ（物理）レイヤと、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＲＲＣ（Ｒａｄｉｏ  Ｒｅｓｏｕｒｃｅ  Ｃｏｎｔｒｏｌ）レイヤとを有している。
【０００３】
ＰＤＣＰレイヤは、秘匿処理や改竄検出処理やヘッダ圧縮処理を行うように構成されている。
【０００４】
ここで、秘匿処理及び改竄検出処理では、ＣＯＵＮＴ値が用いられる。図１３に示すように、かかるＣＯＵＮＴ値は、ＨＦＮ（Ｈｙｐｅｒ  Ｆｒａｍｅ  Ｎｕｍｂｅｒ）とＰＤＣＰ-ＳＮ（Ｓｅｑｕｎｅｃｅ  Ｎｕｍｂｅｒ）」とによって構成されている。
【０００５】
ＰＤＣＰ-ＳＮは、１２ビット又は７ビットで構成されており、ＰＤＣＰレイヤによってＲＬＣに対してパケットが送出される度にインクリメントされるように構成されている。
【０００６】
また、ＨＦＮは、２０ビット又は２５ビットで構成されており、ＰＤＣＰ-ＳＮが周回する度にインクリメントされるように構成されている。
【０００７】
なお、送信側のＰＤＣＰレイヤと受信側のＰＤＣＰレイヤとの間で、ＣＯＵＮＴ値が同期していなければ、受信側のＰＤＣＰレイヤにおいて、正しく解匿処理を行うことができない。
【０００８】
具体的には、送信側のＰＤＣＰレイヤは、ＲＲＣレイヤから受け取ったパケット（ＰＤＣＰ-ＳＤＵ）に対して、ＣＯＵＮＴ値を用いて、秘匿処理（ヘッダ圧縮処理及び改竄検出処理）を施し、ヘッダにＰＤＣＰ-ＳＮを付与することによって、ＰＤＣＰ-ＰＤＵとしてＲＬＣレイヤに送出するように構成されている。
【０００９】
一方、受信側のＰＤＣＰレイヤは、受信ウィンドウを管理しており、図１４に示すように、受信したパケット（ＰＤＣＰ-ＰＤＵ）に付与されているＰＤＣＰ-ＳＮが受信ウィンドウ外のＰＤＣＰ-ＳＮであれば、かかるパケットを破棄するように構成されている。
【００１０】
なお、受信側のＰＤＣＰレイヤは、受信したパケット（ＰＤＣＰ-ＰＤＵ）に付与されているＰＤＣＰ-ＳＮが受信ウィンドウ内のＰＤＣＰ-ＳＮであれば、現在の受信状態から、かかるパケットの解匿処理に用いるべきＨＦＮを推測し、かかるパケットに対して、推測したＨＦＮを用いて解匿処理を施すことによって得られたパケット（ＰＤＣＰ-ＳＤＵ）を上位レイヤに送出し、受信ウィンドウを更新するように構成されている。
【００１１】
図１５及び図１６に示すように、ハンドオーバ処理が完了すると、送信側のＰＤＣＰレイヤは、ＲＬＣレイヤで送達確認がとれていないパケットの全てについての送信を開始する。
【００１２】
受信側のＰＤＣＰレイヤは、「ｏｕｔ-ｏｆ-ｓｅｑｕｅｎｃｅ」状態であっても、上位に送出できるパケットについては全て上位レイヤに送出し、ハンドオーバ処理が完了した後に、再び受信ウィンドウ内での受信を試みる。
【００１３】
また、ハンドオーバ処理が完了した後に、受信側のＰＤＣＰレイヤは、「ＰＤＣＰ  ｓｔａｔｕｓ  ｒｅｐｏｒｔ」により、「ＰＤＣＰ-ＳＮ」についての受信状況を報告可能であり、送信側のＰＤＣＰレイヤは、受信済みのパケットの再送をキャンセルすることも可能である。
【００１４】
図１７及び図１８に示すように、無線基地局Ｓ-ｅＮＢは、無線基地局Ｔ-ｅＮＢに対して、ＲＬＣ-ＡＣＫが確認されていないＰＤＣＰ-ＳＤＵを転送するが、例えば、大量のＰＤＣＰ-ＰＤＵがＲＬＣ-ＰＤＵに多重されていると、無線基地局Ｔ-ｅＮＢと移動局ＵＥとの間で「ＨＦＮ  ｍｉｓｍａｔｃｈ」が発生し、受信側における解匿処理が失敗し、正常なパケットを抽出することができなくなるという問題点があった。
【００１５】
特に、１個のＲＬＣ-ＰＤＵに対して大量のＰＤＣＰ-ＰＤＵが多重されるような場合には、ＲＬＣ-ＡＣＫが受信されずに転送されるＰＤＣＰ-ＰＤＵの数が多くなるため、「ＨＦＮ  ｍｉｓｍａｔｃｈ」が発生する可能性が高くなる。
【００１６】
例えば、伝送レートが高い場合、或いは、ＰＤＣＰ-ＳＤＵのサイズが非常に小さいパケットが大量に発生する場合等に、「ＨＦＮ  ｍｉｓｍａｔｃｈ」が発生する可能性が高くなる。
【００１７】
そこで、かかる「ＨＦＮ  ｍｉｓｍａｔｃｈ」の発生を回避するために、ＰＤＣＰ-ＳＮ長を拡張すること、すなわち、「従来のＰＤＣＰ-ＳＮ（図１９（ａ）参照）」よりも長いシーケンス番号である「ｅｘｔｅｎｄｅｄ  ＰＤＣＰ-ＳＮ（図１９（ｂ）参照）」を採用することが提案されている（非特許文献３）。
【００１８】
「ｅｘｔｅｎｄｅｄ  ＰＤＣＰ-ＳＮ」を用いることで、ＰＤＣＰ-ＳＮが一巡し難くなるため、「ＨＦＮ  ｍｉｓｍａｔｃｈ」が発生しにくくなる。
【００１９】
なお、「ｅｘｔｅｎｄｅｄ  ＰＤＣＰ-ＳＮ」を用いることについては、無線基地局ｅＮＢが、移動局ＵＥに対して、ＲＲＣシグナリングを介して指定するように構成されている。
【先行技術文献】
【非特許文献】
【００２０】
【非特許文献１】３ＧＰＰ  ＴＳ３６.３２２
【非特許文献２】３ＧＰＰ  ＴＳ３６.３２３
【非特許文献３】３ＧＰＰ寄書  Ｒ２-１２２６５１
【発明の概要】
【発明が解決しようとする課題】
【００２１】
しかしながら、図２０及び図２１に示すように、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応している無線基地局Ｔ-ｅＮＢに対するハンドオーバ処理を行う場合には、移動局ＵＥと無線基地局Ｔ-ｅＮＢとの間で使用するＰＤＣＰ-ＳＮ長が異なるため、通信を継続することができないという問題点があった。
【００２２】
そこで、本発明は、上述の課題に鑑みてなされたものであり、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対するハンドオーバ処理を行う場合であっても、通信を継続することができる移動通信方法を提供することを目的とする。
【課題を解決するための手段】
【００２３】
本発明の第１の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第１無線基地局が、前記第１ベアラの削除及び前記拡張シーケンス番号よりも短いシーケンス番号である通常シーケンス番号を用いた第２ベアラの追加を指示するコネクション再設定信号を生成して、前記移動局に対して送信する工程とを有することを要旨とする。
【００２４】
本発明の第２の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第２無線基地局が、前記第１ベアラの削除及び前記移動局と該第２無線基地局との間の第２ベアラの追加を指示するハンドオーバ指示信号を生成して、前記第１無線基地局に対して送信する工程とを有することを要旨とする。
【００２５】
本発明の第３の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第１無線基地局が、前記第１ベアラの削除及び前記第２無線基地局との間の第２ベアラの追加を指示するハンドオーバ指示信号を生成して、前記移動局に対して送信する工程とを有することを要旨とする。
【００２６】
本発明の第４の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第２無線基地局が、全てのベアラの削除及び前記移動局と該第２無線基地局との間の第２ベアラの追加を指示するハンドオーバ指示信号を生成して、前記第１無線基地局に対して送信する工程とを有することを要旨とする。
【００２７】
本発明の第５の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第１無線基地局が、前記第１ベアラにおける前記拡張シーケンス番号の設定をリセットすることを指示するコネクション再設定信号を生成して、前記移動局に対して送信する工程とを有することを要旨とする。
【００２８】
本発明の第６の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記第１無線基地局が、前記第１ベアラにおける前記拡張シーケンス番号の設定をリセットすること及び該第１ベアラの接続先を前記第２無線基地局に切り替えることを指示するハンドオーバ指示信号を生成して、前記移動局に対して送信する工程とを有することを要旨とする。
【００２９】
本発明の第７の特徴は、移動通信方法であって、第１無線基地局が、移動局との間で、ＰＤＣＰレイヤにおけるシーケンス番号として拡張シーケンス番号を用いた第１ベアラが確立されている状態で、該拡張シーケンス番号に対応していない第２無線基地局に対する該移動局のハンドオーバ処理を行うことを決定する工程と、前記移動局が、受信したハンドオーバ指示信号に前記拡張シーケンス番号を用いる旨の指示が含まれていない場合、前記第１ベアラにおける前記拡張シーケンス番号の設定をリセットし、該第１ベアラの接続先を前記第２無線基地局に切り替える工程とを有することを要旨とする。
【００３０】
本発明の第８の特徴は、移動通信方法であって、第１無線基地局が、移動局との間で、ＰＤＣＰレイヤにおけるシーケンス番号として拡張シーケンス番号を用いた第１ベアラが確立されている状態で、第２無線基地局が該拡張シーケンス番号に対応していないことを検出すると、該第２無線基地局に対する該移動局のハンドオーバ処理を行わないことを決定する工程と、前記移動局が、前記第２無線基地局との間で、再接続処理を行うことによって、前記拡張シーケンス番号よりも短いシーケンス番号である通常シーケンス番号を用いた第２ベアラを確立する工程とを有することを要旨とする。
【発明の効果】
【００３１】
以上説明したように、本発明によれば、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対するハンドオーバ処理を行う場合であっても、通信を継続することができる移動通信方法を提供することができる。
【図面の簡単な説明】
【００３２】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】本発明の第１の実施形態に係る移動通信システムの動作を示すシーケンス図である。
【図９】本発明の第１の実施形態に係る移動通信システムの動作を示すシーケンス図である。
【図１０】本発明の第１の実施形態に係る移動通信システムの動作を示すシーケンス図である。
【図１１】本発明の第１の実施形態に係る移動通信システムの動作を示すシーケンス図である。
【図１２】従来の移動通信システムについて説明するための図である。
【図１３】従来の移動通信システムについて説明するための図である。
【図１４】従来の移動通信システムについて説明するための図である。
【図１５】従来の移動通信システムについて説明するための図である。
【図１６】従来の移動通信システムについて説明するための図である。
【図１７】従来の移動通信システムについて説明するための図である。
【図１８】従来の移動通信システムについて説明するための図である。
【図１９】従来の移動通信システムについて説明するための図である。
【図２０】従来の移動通信システムについて説明するための図である。
【図２１】従来の移動通信システムについて説明するための図である。
【発明を実施するための形態】
【００３３】
（本発明の第１の実施形態に係る移動通信システム）
図１乃至図１１を参照して、本発明の第１の実施形態に係る移動通信システムについて説明する。
【００３４】
本実施形態では、ＬＴＥ方式の移動通信システムを例に挙げて説明するが、本発明は、かかる移動通信システムに限定されず、他の方式の移動通信システムにも適用可能である。
【００３５】
図１に示すように、本実施形態に係る移動通信システムは、「ｅｘｔｅｎｄｅｄ  ＰＤＣＰ-ＳＮ」に対応している無線基地局Ｓ-ｅＮＢと、「ｅｘｔｅｎｄｅｄ  ＰＤＣＰ-ＳＮ」に対応していない、すなわち、「従来のＰＤＣＰ-ＳＮ」にのみ対応している無線基地局Ｔ-ｅＮＢとを具備している。
【００３６】
図２に示すように、本実施形態に係る無線基地局ｅＮＢは、ハンドオーバ処理部１１を具備している。ハンドオーバ処理部１１は、移動局ＵＥのハンドオーバ処理を実現するために必要な処理（図４乃至図１１参照）を行うように構成されている。
【００３７】
図３に示すように、本実施形態に係る移動局ＵＥは、移動局ＵＥは、ハンドオーバ処理部２１を具備している。ハンドオーバ処理部２１は、移動局ＵＥのハンドオーバ処理を実現するために必要な処理（図４乃至図１１参照）を行うように構成されている。
【００３８】
以下、図４乃至図１１を参照して、本実施形態に係る移動通信システムの動作例について説明する。
【００３９】
第１に、図４を参照して、本実施形態に係る移動通信システムの動作例１について説明する。
【００４０】
図４に示すように、ステップＳ１００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【００４１】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【００４２】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【００４３】
ステップＳ１００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【００４４】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【００４５】
なお、無線基地局Ｔ-ｅＮＢは、「Ｆｕｌｌ  ｃｏｎｆｉｇｕｒａｔｉｏｎ機能」を実行すると、移動局ＵＥに対して、Ｃ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）以外の全ての設定（ベアラを含む）を削除して再設定するように指示する。
【００４６】
ステップＳ１００３において、無線基地局Ｔ-ｅＮＢは、無線基地局Ｓ-ｅＮＢに対して、「ＨＯ  ｒｅａｕｅｓｔ  ａｃｋ」を送信する。
【００４７】
ステップＳ１００４において、無線基地局Ｓ-ｅＮＢは、上述の第１ベアラの削除及び「従来のＰＤＣＰ-ＳＮ」を用いた第２ベアラの追加を指示する「ＲＲＣ  ｃｏｎｎｅｃｔｉｏｎ  ｒｅｃｏｎｆｉｇｕｒａｔｉｏｎ」を生成して移動局ＵＥに対して送信する。
【００４８】
ステップＳ１００５において、移動局ＵＥは、上述の第１ベアラを削除し、無線基地局Ｓ-ｅＮＢとの間で「従来のＰＤＣＰ-ＳＮ」を用いた第２ベアラを設定し、無線基地局Ｓ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００４９】
この結果、無線基地局Ｓ-ｅＮＢは、一旦、上述の第１ベアラを削除し、移動局ＵＥとの間で「従来のＰＤＣＰ-ＳＮ」を用いた第２ベアラを設定することができる。
【００５０】
なお、ステップＳ１００４及びＳ１００５の動作は、ステップＳ１００２の前に行われてもよい。
【００５１】
ステップＳ１００６において、無線基地局Ｓ-ｅＮＢは、移動局ＵＥに対して、受信した「ＨＯ  ｒｅａｕｅｓｔ  ａｃｋ」に含まれていた「ＨＯ  ｃｏｍｍａｎｄ」を送信する。
【００５２】
無線基地局Ｓ-ｅＮＢは、無線基地局Ｔ-ｅＮＢに対して、ステップＳ１００７において、「ＳＮ  ｓｔａｔｕｓ  ｔｒａｎｓｆｅｒ」を送信し、ステップＳ１００８において、データ転送を行う。
【００５３】
ステップＳ１００９において、移動局ＵＥは、無線基地局Ｔ-ｅＮＢに対して、「ＲＡ  ｐｒｅａｍｂｌｅ」を送信し、ステップＳ１０１０において、無線基地局Ｔ-ｅＮＢは、移動局ＵＥに対して、「ＲＡ  ｒｅｓｐｏｎｓｅ」を送信し、ステップＳ１０１１において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００５４】
この結果、上述の第２ベアラの接続先は、無線基地局Ｓ-ｅＮＢから無線基地局Ｔ-ｅＮＢに切り替わる。
【００５５】
第２に、図５を参照して、本実施形態に係る移動通信システムの動作例２について説明する。
【００５６】
図５に示すように、ステップＳ２００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【００５７】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【００５８】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【００５９】
ステップＳ２００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【００６０】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【００６１】
また、無線基地局Ｓ-ｅＮＢは、上述の「ＨＯ  ｒｅｑｕｅｓｔ」内の情報要素（新たに定義する）によって、無線基地局Ｔ-ｅＮＢに対して、第１ベアラの削除及び移動局ＵＥと無線基地局Ｔ-ｅＮＢとの間の第２ベアラの追加を行うように要求する。
【００６２】
ステップＳ２００３において、無線基地局Ｔ-ｅＮＢは、上述の「ＨＯ  ｒｅｑｕｅｓｔ」に基づいて、第１ベアラの削除及び移動局ＵＥと無線基地局Ｔ-ｅＮＢとの間の第２ベアラの追加を指示する「ＨＯ  ｃｏｍｍａｎｄ」を生成して、かかる「ＨＯ  ｃｏｍｍａｎｄ」を含む「ＨＯ  ｒｅｑｕｅｓｔ  ａｃｋ」を無線基地局Ｓ-ｅＮＢに対して送信する。
【００６３】
ステップＳ２００４において、無線基地局Ｓ-ｅＮＢは、移動局ＵＥに対して、受信した「ＨＯ  ｒｅａｕｅｓｔ  ａｃｋ」に含まれていた「ＨＯ  ｃｏｍｍａｎｄ」を送信する。
【００６４】
ここで、移動局ＵＥは、かかる「ＨＯ  ｃｏｍｍａｎｄ」に応じて、上述の第１ベアラを削除する。
【００６５】
なお、かかるハンドオーバ処理において、一旦、第１ベアラが削除されるため、無線基地局Ｓ-ｅＮＢから無線基地局Ｔ-ｅＮＢに対するデータ転送は行われない（ステップＳ２００５）。
【００６６】
ステップＳ２００６において、移動局ＵＥは、無線基地局Ｔ-ｅＮＢに対して、「ＲＡ  ｐｒｅａｍｂｌｅ」を送信し、ステップＳ２００７において、無線基地局Ｔ-ｅＮＢは、移動局ＵＥに対して、「ＲＡ  ｒｅｓｐｏｎｓｅ」を送信し、ステップＳ２００８において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００６７】
この結果、移動局ＵＥと無線基地局Ｔ-ｅＮＢとの間で「従来のＰＤＣＰ-ＳＮ」を用いた第２ベアラが設定される。
【００６８】
第３に、図６を参照して、本実施形態に係る移動通信システムの動作例３について説明する。
【００６９】
図６に示すように、ステップＳ３００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【００７０】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【００７１】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【００７２】
ステップＳ３００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【００７３】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【００７４】
また、無線基地局Ｓ-ｅＮＢは、上述の「ＨＯ  ｒｅｑｕｅｓｔ」内の情報要素（新たに定義する）によって、無線基地局Ｔ-ｅＮＢに対して、第１ベアラの削除及び移動局ＵＥと無線基地局Ｔ-ｅＮＢとの間の第２ベアラの追加を行うように要求してもよい。
【００７５】
ステップＳ３００３において、無線基地局Ｔ-ｅＮＢは、上述の「ＨＯ  ｒｅｑｕｅｓｔ」に基づいて、「ＨＯ  ｃｏｍｍａｎｄ」を生成して、かかる「ＨＯ  ｃｏｍｍａｎｄ」を含む「ＨＯ  ｒｅｑｕｅｓｔ  ａｃｋ」を無線基地局Ｓ-ｅＮＢに対して送信する。
【００７６】
ステップＳ３００４において、無線基地局Ｓ-ｅＮＢは、受信した「ＨＯ  ｒｅａｕｅｓｔ  ａｃｋ」に含まれていた「ＨＯ  ｃｏｍｍａｎｄ」に対して、第１ベアラの削除及び移動局ＵＥと無線基地局Ｔ-ｅＮＢとの間の第２ベアラの追加の指示を含めて移動局ＵＥに対して送信する。
【００７７】
ここで、移動局ＵＥは、かかる「ＨＯ  ｃｏｍｍａｎｄ」に応じて、上述の第１ベアラを削除する。
【００７８】
なお、かかるハンドオーバ処理において、一旦、第１ベアラが削除されるため、無線基地局Ｓ-ｅＮＢから無線基地局Ｔ-ｅＮＢに対するデータ転送は行われない（ステップＳ３００５）。
【００７９】
ステップＳ３００６において、移動局ＵＥは、無線基地局Ｔ-ｅＮＢに対して、「ＲＡ  ｐｒｅａｍｂｌｅ」を送信し、ステップＳ３００７において、無線基地局Ｔ-ｅＮＢは、移動局ＵＥに対して、「ＲＡ  ｒｅｓｐｏｎｓｅ」を送信し、ステップＳ３００８において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００８０】
この結果、移動局ＵＥと無線基地局Ｔ-ｅＮＢとの間で「従来のＰＤＣＰ-ＳＮ」を用いた第２ベアラが設定される。
【００８１】
第４に、図７を参照して、本実施形態に係る移動通信システムの動作例４について説明する。
【００８２】
図７に示すように、ステップＳ４００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【００８３】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【００８４】
ステップＳ４００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【００８５】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握していた場合であっても、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除するという措置を施さないものとする。
【００８６】
無線基地局Ｔ-ｅＮＢは、「ＨＯ  ｒｅｑｕｅｓｔ」内の情報要素の少なくとも一部について解釈することができない場合、或いは、「ｅｘｔｅｎｄｅｄ  ＰＤＣＰ-ＳＮ」に対応していない場合、「Ｆｕｌｌ  ｃｏｎｆｉｇｕｒａｔｉｏｎ機能」を実行する。
【００８７】
その結果、ステップＳ４００３において、無線基地局Ｔ-ｅＮＢは、全てのベアラの削除及び移動局ＵＥと無線基地局Ｔ-ｅＮＢとの間の第２ベアラの追加を指示する「ＨＯ  ｃｏｍｍａｎｄ（Ｆｕｌｌ  ｃｏｎｆｉｇｕｒａｔｉｏｎ）」を生成して、かかる「ＨＯ  ｃｏｍｍａｎｄ（Ｆｕｌｌ  ｃｏｎｆｉｇｕｒａｔｉｏｎ）」を含む「ＨＯ  ｒｅｑｕｅｓｔ  ａｃｋ」を無線基地局Ｓ-ｅＮＢに対して送信する。
【００８８】
ステップＳ４００４において、無線基地局Ｓ-ｅＮＢは、移動局ＵＥに対して、受信した「ＨＯ  ｒｅａｕｅｓｔ  ａｃｋ」に含まれていた「ＨＯ  ｃｏｍｍａｎｄ（Ｆｕｌｌ  ｃｏｎｆｉｇｕｒａｔｉｏｎ）」を送信する。
【００８９】
ここで、移動局ＵＥは、かかる「ＨＯ  ｃｏｍｍａｎｄ（Ｆｕｌｌ  ｃｏｎｆｉｇｕｒａｔｉｏｎ）」に応じて、第１ベアラを含む全てのベアラを削除する。
【００９０】
なお、かかるハンドオーバ処理において、一旦、全てのベアラが削除されるため、無線基地局Ｓ-ｅＮＢから無線基地局Ｔ-ｅＮＢに対するデータ転送は行われない（ステップＳ４００５）。また、かかる場合、全てのベアラにおいてデータロスが発生する。
【００９１】
ステップＳ４００６において、移動局ＵＥは、無線基地局Ｔ-ｅＮＢに対して、「ＲＡ  ｐｒｅａｍｂｌｅ」を送信し、ステップＳ４００７において、無線基地局Ｔ-ｅＮＢは、移動局ＵＥに対して、「ＲＡ  ｒｅｓｐｏｎｓｅ」を送信し、ステップＳ４００８において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００９２】
この結果、移動局ＵＥと無線基地局Ｔ-ｅＮＢとの間で「従来のＰＤＣＰ-ＳＮ」を用いた第２ベアラが設定される。
【００９３】
第５に、図８を参照して、本実施形態に係る移動通信システムの動作例５について説明する。
【００９４】
図８に示すように、ステップＳ５００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【００９５】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【００９６】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【００９７】
ステップＳ５００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【００９８】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【００９９】
ステップＳ５００３において、無線基地局Ｔ-ｅＮＢは、無線基地局Ｓ-ｅＮＢに対して、「ＨＯ  ｒｅａｕｅｓｔ  ａｃｋ」を送信する。
【０１００】
ステップＳ５００４において、無線基地局Ｓ-ｅＮＢは、「ｅｘｔｅｎｄｅｄ  ＰＤＣＰ-ＳＮ」の設定（ＣＯＵＮＴ値を含む）をリセットすることを指示する「ＲＲＣ  ｃｏｎｎｅｃｔｉｏｎ  ｒｅｃｏｎｆｉｇｕｒａｔｉｏｎ」を生成して移動局ＵＥに対して送信する。
【０１０１】
ここで、無線基地局Ｓ-ｅＮＢは、一旦、第１ベアラにおける「ｅｘｔｅｎｄｅｄ  ＰＤＣＰ-ＳＮ」の設定（ＣＯＵＮＴ値を含む）をリセットする。
【０１０２】
ステップＳ５００５において、移動局ＵＥは、第１ベアラにおける「ｅｘｔｅｎｄｅｄ  ＰＤＣＰ-ＳＮ」の設定（ＣＯＵＮＴ値を含む）をリセットし、無線基地局Ｓ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。以降、第１ベアラでは、「従来のＰＤＣＰ-ＳＮ」が用いられる。
【０１０３】
なお、ステップＳ５００４及びＳ５００５の動作は、ステップＳ５００２の前に行われてもよい。
【０１０４】
ステップＳ５００６において、無線基地局Ｓ-ｅＮＢは、移動局ＵＥに対して、受信した「ＨＯ  ｒｅａｕｅｓｔ  ａｃｋ」に含まれていた「ＨＯ  ｃｏｍｍａｎｄ」を送信する。
【０１０５】
無線基地局Ｓ-ｅＮＢは、無線基地局Ｔ-ｅＮＢに対して、ステップＳ５００７において、「ＳＮ  ｓｔａｔｕｓ  ｔｒａｎｓｆｅｒ」を送信し、ステップＳ５００８において、データ転送を行う。
【０１０６】
ステップＳ５００９において、移動局ＵＥは、無線基地局Ｔ-ｅＮＢに対して、「ＲＡ  ｐｒｅａｍｂｌｅ」を送信し、ステップＳ５０１０において、無線基地局Ｔ-ｅＮＢは、移動局ＵＥに対して、「ＲＡ  ｒｅｓｐｏｎｓｅ」を送信し、ステップＳ５０１１において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【０１０７】
この結果、上述の第１ベアラの接続先が、無線基地局Ｓ-ｅＮＢから無線基地局Ｔ-ｅＮＢに切り替わる。
【０１０８】
第６に、図９を参照して、本実施形態に係る移動通信システムの動作例６について説明する。
【０１０９】
図９に示すように、ステップＳ６００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【０１１０】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【０１１１】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【０１１２】
ステップＳ６００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【０１１３】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【０１１４】
ステップＳ６００３において、無線基地局Ｔ-ｅＮＢは、無線基地局Ｓ-ｅＮＢに対して、「ＨＯ  ｒｅａｕｅｓｔ  ａｃｋ」を送信する。
【０１１５】
ステップＳ６００４において、無線基地局Ｓ-ｅＮＢは、第１ベアラにおける「ｅｘｔｅｎｄｅｄ  ＰＤＣＰ-ＳＮ」の設定（ＣＯＵＮＴ値を含む）をリセットすること及び第１ベアラの接続先を無線基地局Ｔ-ｅＮＢに切り替えることを指示する「ＨＯ  ｃｏｍｍａｎｄ」を生成して移動局ＵＥに対して送信する。
【０１１６】
ここで、移動局ＵＥは、第１ベアラにおける「ｅｘｔｅｎｄｅｄ  ＰＤＣＰ-ＳＮ」の設定（ＣＯＵＮＴ値を含む）をリセットする。以降、第１ベアラでは「従来のＰＤＣＰ-ＳＮ」が用いられる。
【０１１７】
無線基地局Ｓ-ｅＮＢは、無線基地局Ｔ-ｅＮＢに対して、ステップＳ６００５において、「ＳＮ  ｓｔａｔｕｓ  ｔｒａｎｓｆｅｒ」を送信し、ステップＳ６００６において、データ転送を行う。
【０１１８】
ステップＳ６００７において、移動局ＵＥは、無線基地局Ｔ-ｅＮＢに対して、「ＲＡ  ｐｒｅａｍｂｌｅ」を送信し、ステップＳ６００８において、無線基地局Ｔ-ｅＮＢは、移動局ＵＥに対して、「ＲＡ  ｒｅｓｐｏｎｓｅ」を送信し、ステップＳ６００９において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【０１１９】
この結果、上述の第１ベアラの接続先が、無線基地局Ｓ-ｅＮＢから無線基地局Ｔ-ｅＮＢに切り替わる。
【０１２０】
第７に、図１０を参照して、本実施形態に係る移動通信システムの動作例７について説明する。
【０１２１】
図１０に示すように、ステップＳ７００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【０１２２】
無線基地局Ｓ-ｅＮＢは、かかる「Ｍｅａｓｕｒｅｍｅｎｔ  ｒｅｐｏｒｔ」に基づいて、無線基地局Ｔ-ｅＮＢに対する移動局ＵＥのハンドオーバ処理を行うことを決定する。
【０１２３】
ここで、無線基地局Ｓ-ｅＮＢは、局情報等に基づいて、無線基地局Ｔ-ｅＮＢが「ｅｘｔｅｎｄｅｄ  ＰＤＣＰ-ＳＮ」に対応していないことを把握することができるものとする。
【０１２４】
ステップＳ７００２において、無線基地局Ｓ-ｅＮＢは、無線基地局Ｔ-ｅＮＢに対して、上述のハンドオーバ処理を行うように指示する「ＨＯ  ｒｅｑｕｅｓｔ」を送信する。
【０１２５】
ここで、無線基地局Ｓ-ｅＮＢは、無線基地局Ｔ-ｅＮＢが「Ｆｕｌｌ  ｃｏｎｆｉｇｕｒａｔｉｏｎ機能」を実行しないように、「ＨＯ  ｒｅｑｕｅｓｔ」内の情報要素の中から、無線基地局Ｔ-ｅＮＢによって解釈することができない情報要素を削除する。
【０１２６】
ステップＳ７００３において、無線基地局Ｔ-ｅＮＢは、無線基地局Ｓ-ｅＮＢに対して、第１ベアラの接続先を無線基地局Ｔ-ｅＮＢに切り替えることを指示する「ＨＯ  ｃｏｍｍａｎｄ」を含む「ＨＯ  ｒｅｑｕｅｓｔ  ａｃｋ」を送信する。
【０１２７】
ステップＳ７００４において、無線基地局Ｓ-ｅＮＢは、移動局ＵＥに対して、第１ベアラの接続先を無線基地局Ｔ-ｅＮＢに切り替えることを指示する「ＨＯ  ｃｏｍｍａｎｄ」を生成して送信する。
【０１２８】
ここで、無線基地局Ｓ-ｅＮＢは、「ｅｘｔｅｎｄｅｄ  ＰＤＣＰ-ＳＮ」の設定（ＣＯＵＮＴ値を含む）をリセットする。
【０１２９】
移動局ＵＥは、受信した「ＨＯ  ｃｏｍｍａｎｄ」に「ｅｘｔｅｎｄｅｄ  ＰＤＣＰ-ＳＮ」を用いる旨の指示が含まれていない場合、第１ベアラにおける「ｅｘｔｅｎｄｅｄ  ＰＤＣＰ-ＳＮ」の設定（ＣＯＵＮＴ値を含む）をリセットする。以降、第１ベアラでは「従来のＰＤＣＰ-ＳＮ」が用いられる。
【０１３０】
無線基地局Ｓ-ｅＮＢは、無線基地局Ｔ-ｅＮＢに対して、ステップＳ７００５において、「ＳＮ  ｓｔａｔｕｓ  ｔｒａｎｓｆｅｒ」を送信し、ステップＳ７００６において、データ転送を行う。
【０１３１】
ステップＳ７００７において、移動局ＵＥは、無線基地局Ｔ-ｅＮＢに対して、「ＲＡ  ｐｒｅａｍｂｌｅ」を送信し、ステップＳ７００８において、無線基地局Ｔ-ｅＮＢは、移動局ＵＥに対して、「ＲＡ  ｒｅｓｐｏｎｓｅ」を送信し、ステップＳ７００９において、移動局ＵＥは、無線基地局Ｔ-ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【０１３２】
この結果、上述の第１ベアラの接続先が、無線基地局Ｓ-ｅＮＢから無線基地局Ｔ-ｅＮＢに切り替わる。
【０１３３】
第８に、図１１を参照して、本実施形態に係る移動通信システムの動作例８について説明する。
【０１３４】
図１１に示すように、ステップＳ８００１において、無線基地局Ｓ-ｅＮＢとの間で「ｅｘｔｅｎｄｅｄ  ＰＤＣＰ-ＳＮ」を用いた第１ベアラが確立されている状態の移動局ＵＥが、無線基地局Ｓ-ｅＮＢに対して、「Ｍｅａｓｕｒｅｍｅｎｔ  ｒｅｐｏｒｔ」を送信する。
【０１３５】
ステップＳ８００２において、無線基地局Ｓ-ｅＮＢは、「Ｍｅａｓｕｒｅｍｅｎｔ  ｒｅｐｏｒｔ」に基づいて、ハンドオーバ先候補として無線基地局Ｔ-ｅＮＢを選択した場合、局情報等に基づいて、無線基地局Ｔ-ｅＮＢが「ｅｘｔｅｎｄｅｄ  ＰＤＣＰ-ＳＮ」に対応していないことを検出すると、無線基地局Ｔ-ｅＮＢに対する移動局ＵＥのハンドオーバ処理を行わないことを決定する。
【０１３６】
ここで、無線基地局Ｓ-ｅＮＢは、上述の「Ｍｅａｓｕｒｅｍｅｎｔ  ｒｅｐｏｒｔ」を破棄する。
【０１３７】
ステップＳ８００３において、移動局ＵＥは、無線基地局Ｔ-ｅＮＢ配下のセル＃２に遷移する。
【０１３８】
ステップＳ８００４において、移動局ＵＥは、無線基地局Ｔ-ｅＮＢに対して、「ＲＡ  ｐｒｅａｍｂｌｅ」を送信し、ステップＳ８００５において、無線基地局Ｔ-ｅＮＢは、移動局ＵＥに対して、「ＲＡ  ｒｅｓｐｏｎｓｅ」を送信する。
【０１３９】
ステップＳ８００６において、移動局ＵＥは、無線基地局Ｔ-ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信し、ステップＳ８００７において、無線基地局Ｔ-ｅＮＢは、移動局ＵＥに対して、「ＲＲＣ  ｃｏｎｎｅｃｔｉｏｎ  ｒｅ-ｅｓｔａｂｌｉｓｈｍｅｎｔ」を送信し、ステップＳ８００８において、移動局ＵＥは、無線基地局Ｔ-ｅＮＢに対して、「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信する。
【０１４０】
上述のように、移動局ＵＥは、無線基地局Ｔ-ｅＮＢとの間で、再接続処理を行うことによって、「従来のＰＤＣＰ-ＳＮ」を用いた第２ベアラを確立することができる。
【０１４１】
本実施形態に係る移動通信システムによれば、図４乃至図１１に示す動作によって、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対するハンドオーバ処理を行う場合であっても、通信を継続することができる。
【０１４２】
以上に述べた本実施形態の特徴は、以下のように表現されていてもよい。
【０１４３】
本実施形態の第１の特徴は、移動通信方法であって、無線基地局Ｓ-ｅＮＢ（第１無線基地局）が、移動局ＵＥとの間で、ＰＤＣＰレイヤにおけるシーケンス番号として「ｅｘｔｅｎｄｅｄ  ＰＤＣＰ-ＳＮ（拡張シーケンス番号）」を用いた第１ベアラが確立されている状態で、「ｅｘｔｅｎｄｅｄ  ＰＤＣＰ-ＳＮ」に対応していない無線基地局Ｔ-ｅＮＢ（第２無線基地局）に対する移動局ＵＥのハンドオーバ処理を行うことを決定する工程と、無線基地局Ｓ-ｅＮＢが、第１ベアラの削除及び「従来のＰＤＣＰ-ＳＮ」を用いた第２ベアラの追加を指示する「ＲＲＣ  ｃｏｎｎｅｃｔｉｏｎ  ｒｅｃｏｎｆｉｇｕｒａｔｉｏｎ（コネクション再設定信号）」を生成して、移動局ＵＥに対して送信する工程とを有することを要旨とする。
【０１４４】
本実施形態の第２の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｔ-ｅＮＢが、第１ベアラの削除及び移動局ＵＥと無線基地局Ｔ-ｅＮＢとの間の第２ベアラの追加を指示する「ＨＯ  ｃｏｍｍａｎｄ（ハンドオーバ指示信号）」を生成して、無線基地局Ｓ-ｅＮＢに対して送信する工程とを有することを要旨とする。
【０１４５】
本実施形態の第３の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｓ-ｅＮＢが、第１ベアラの削除及び無線基地局Ｔ-ｅＮＢとの間の第２ベアラの追加を指示する「ＨＯ  ｃｏｍｍａｎｄ」を生成して、移動局ＵＥに対して送信する工程とを有することを要旨とする。
【０１４６】
本実施形態の第４の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｔ-ｅＮＢが、全てのベアラの削除及び移動局ＵＥと無線基地局Ｔ-ｅＮＢとの間の第２ベアラの追加を指示する「ＨＯ  ｃｏｍｍａｎｄ」を生成して、無線基地局Ｓ-ｅＮＢに対して送信する工程とを有することを要旨とする。
【０１４７】
本実施形態の第５の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｓ-ｅＮＢが、第１ベアラにおける「ｅｘｔｅｎｄｅｄ  ＰＤＣＰ-ＳＮ」の設定をリセットすることを指示する「ＲＲＣ  ｃｏｎｎｅｃｔｉｏｎ  ｒｅｃｏｎｆｉｇｕｒａｔｉｏｎ」を生成して、移動局ＵＥに対して送信する工程とを有することを要旨とする。
【０１４８】
本実施形態の第６の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、無線基地局Ｓ-ｅＮＢが、第１ベアラにおける「ｅｘｔｅｎｄｅｄ  ＰＤＣＰ-ＳＮ」の設定をリセットすること及び第１ベアラの接続先を無線基地局Ｔ-ｅＮＢに切り替えることを指示する「ＨＯ  ｃｏｍｍａｎｄ」を生成して、移動局ＵＥに対して送信する工程とを有することを要旨とする。
【０１４９】
本実施形態の第７の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、「ｅｘｔｅｎｄｅｄ  ＰＤＣＰ-ＳＮ」に対応していない無線基地局Ｔ-ｅＮＢに対する移動局ＵＥのハンドオーバ処理を行うことを決定する工程と、移動局ＵＥが、受信した「ＨＯ  ｃｏｍｍａｎｄ」に「ｅｘｔｅｎｄｅｄ  ＰＤＣＰ-ＳＮ」を用いる旨の指示が含まれていない場合、第１ベアラにおける「ｅｘｔｅｎｄｅｄ  ＰＤＣＰ-ＳＮ」の設定をリセットし、第１ベアラの接続先を無線基地局Ｔ-ｅＮＢに切り替える工程とを有することを要旨とする。
【０１５０】
本実施形態の第８の特徴は、移動通信方法であって、無線基地局Ｓ-ｅＮＢが、移動局ＵＥとの間で、「ｅｘｔｅｎｄｅｄ  ＰＤＣＰ-ＳＮ」を用いた第１ベアラが確立されている状態で、無線基地局Ｔ-ｅＮＢが「ｅｘｔｅｎｄｅｄ  ＰＤＣＰ-ＳＮ」に対応していないことを検出すると、無線基地局Ｔ-ｅＮＢに対する移動局ＵＥのハンドオーバ処理を行わないことを決定する工程と、移動局ＵＥが、無線基地局Ｔ-ｅＮＢとの間で、再接続処理を行うことによって、「従来のＰＤＣＰ-ＳＮ」を用いた第２ベアラを確立する工程とを有することを要旨とする。
【０１５１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５５】
ｅＮＢ…無線基地局
ＵＥ…移動局
１１、２１…ハンドオーバ処理部
【図１】
2014023043.tif 000003
【図２】
2014023043.tif 000004
【図３】
2014023043.tif 000005
【図４】
2014023043.tif 000006
【図５】
2014023043.tif 000007
【図６】
2014023043.tif 000008
【図７】
2014023043.tif 000009
【図８】
2014023043.tif 000010
【図９】
2014023043.tif 000011
【図１０】
2014023043.tif 000012
【図１１】
2014023043.tif 000013
【図１２】
2014023043.tif 000014
【図１３】
2014023043.tif 000015
【図１４】
2014023043.tif 000016
【図１５】
2014023043.tif 000017
【図１６】
2014023043.tif 000018
【図１７】
2014023043.tif 000019
【図１８】
2014023043.tif 000020
【図１９】
2014023043.tif 000021
【図２０】
2014023043.tif 000022
【図２１】
2014023043.tif 000023